(57)【特許請求の範囲】
【請求項１】
捕食性カブリダニ個体群と、
第１の宿主ダニ個体群と前記第１の宿主ダニと異なる第２の宿主ダニ個体群とを含む、前記捕食性カブリダニ個体群の個体用の食物源と、
前記宿主ダニ用の食物源を含む担体と
を含み、
前記第１の宿主ダニとして０．２８未満の内的増加率（ｒｍ）を有するダニ種が選択され、かつ、前記第２の宿主ダニが、前記第１の宿主ダニの内的増加率（ｒｍ）よりも高い内的増加率（ｒｍ）を有することを特徴とする、
捕食性カブリダニ放出システム。
【請求項２】
前記捕食性カブリダニが、
ムチカブリダニ（Ａｍｂｌｙｓｅｉｉｎａｅ）亜科、例えば、Ａｍｂｌｙｓｅｉｕｓ属からのもの、例えば、Ａｍｂｌｙｓｅｉｕｓ  ａｎｄｅｒｓｏｎｉ、Ａｍｂｌｙｓｉｅｕｓ  ａｅｒｉａｌｉｓ、スワルスキーカブリダニ（Ａｍｂｌｙｓｅｉｕｓ  ｓｗｉｒｓｋｉｉ）またはラーゴカブリダニ（Ａｍｂｌｙｓｅｉｕｓ  ｌａｒｇｏｅｎｓｉｓ）など、Ｅｕｓｅｉｕｓ属から、例えば、イチレツカブリダニ（Ｅｕｓｅｉｕｓ  ｆｉｎｌａｎｄｉｃｕｓ）、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏまたはＥｕｓｅｉｕｓ  ｃｉｔｒｉなど、ウスカブリダニ（Ｎｅｏｓｅｉｕｌｕｓ）属から、例えば、ヘヤカブリダニ（Ｎｅｏｓｅｉｕｌｕｓ  ｂａｒｋｅｒｉ）、ミヤコカブリダニ（Ｎｅｏｓｅｉｕｌｕｓ  ｃａｌｉｆｏｒｎｉｃｕｓ）、ククメリスカブリダニ（Ｎｅｏｓｅｉｕｌｕｓ  ｃｕｃｕｍｅｒｉｓ）、Ｎｅｏｓｅｉｕｌｕｓ  ｌｏｎｇｉｓｐｉｎｏｓｕｓ、ケナガカブリダニ（Ｎｅｏｓｅｉｕｌｕｓ  ｗｏｍｅｒｓｌｅｙｉ）、Ｎｅｏｓｅｉｕｌｕｓ  ｉｄａｅｕｓ、Ｎｅｏｓｅｉｕｌｕｓ  ａｎｏｎｙｍｕｓまたはファラシスカブリダニ（Ｎｅｏｓｅｉｕｌｕｓ  ｆａｌｌａｃｉｓ）など、Ｔｙｐｈｌｏｄｒｏｍａｌｕｓ属から、例えば、Ｔｙｐｈｌｏｄｒｏｍａｌｕｓ  ｌｉｍｏｎｉｃｕｓ、Ｔｙｐｈｌｏｄｒｏｍａｌｕｓ  ａｒｉｐｏまたはＴｙｐｈｌｏｄｒｏｍａｌｕｓ  ｐｅｒｅｇｒｉｎｕｓなど、Ｔｙｐｈｌｏｄｒｏｍｉｐｓ属から、例えば、Ｔｙｐｈｌｏｄｒｏｍｉｐｓ  ｍｏｎｔｄｏｒｅｎｓｉｓなど、
Ｔｙｐｈｌｏｄｒｏｍｉｎａｅ亜科、例えば、Ｇａｌｅｎｄｒｏｍｕｓ属からのもの、例えば、Ｇａｌｅｎｄｒｏｍｕｓ  ｏｃｃｉｄｅｎｔａｌｉｓ、Ｔｙｐｈｌｏｄｒｏｍｕｓ属から、例えば、パイアイカブリダニ（Ｔｙｐｈｌｏｄｒｏｍｕｓ  ｐｙｒｉ）、Ｔｙｐｈｌｏｄｒｏｍｕｓ  ｄｏｒｅｅｎａｅまたはＴｙｐｈｌｏｄｒｏｍｕｓ  ａｔｈｉａｓａｅ
から選択される、請求項１に記載の捕食性カブリダニ放出システム。
【請求項３】
前記捕食性カブリダニが、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択される、請求項１〜２のいずれか１項に記載の捕食性カブリダニ放出システム。
【請求項４】
前記第１の宿主ダニが、サヤアシニクダニ（Ｌｅｐｉｄｏｇｌｙｐｈｕｓ  ｄｅｓｔｒｕｃｔｏｒ）またはＴｈｙｒｅｏｐｈａｇｕｓ  ｅｎｔｏｍｏｐｈａｇｕｓから選択される、請求項１〜３のいずれか１項に記載の捕食性カブリダニ放出システム。
【請求項５】
捕食性カブリダニ個体群と、
前記捕食性カブリダニ個体群の個体用の食物源と、
前記宿主ダニ用の食物源を含む担体と
を含む、捕食性カブリダニ放出システムを製造するための、０．２８未満の内的増加率（ｒｍ）を有する第１の宿主ダニと、前記第１の宿主ダニと異なる第２の宿主ダニ個体群との使用であって、前記第２の宿主ダニが、前記第１の宿主ダニよりも高い内的増加率（ｒｍ）を有する、使用。
【請求項６】
前記捕食性カブリダニが、
ムチカブリダニ亜科、例えば、Ａｍｂｌｙｓｅｉｕｓ属からのもの、例えば、Ａｍｂｌｙｓｅｉｕｓ  ａｎｄｅｒｓｏｎｉ、Ａｍｂｌｙｓｉｅｕｓ  ａｅｒｉａｌｉｓ、スワルスキーカブリダニまたはラーゴカブリダニなど、Ｅｕｓｅｉｕｓ属から、例えば、イチレツカブリダニ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏまたはＥｕｓｅｉｕｓ  ｃｉｔｒｉなど、ウスカブリダニ属から、例えば、ヘヤカブリダニ、ミヤコカブリダニ、ククメリスカブリダニ、Ｎｅｏｓｅｉｕｌｕｓ  ｌｏｎｇｉｓｐｉｎｏｓｕｓ、ケナガカブリダニ、Ｎｅｏｓｅｉｕｌｕｓ  ｉｄａｅｕｓ、Ｎｅｏｓｅｉｕｌｕｓ  ａｎｏｎｙｍｕｓまたはファラシスカブリダニなど、Ｔｙｐｈｌｏｄｒｏｍａｌｕｓ属から、例えば、Ｔｙｐｈｌｏｄｒｏｍａｌｕｓ  ｌｉｍｏｎｉｃｕｓ、Ｔｙｐｈｌｏｄｒｏｍａｌｕｓ  ａｒｉｐｏまたはＴｙｐｈｌｏｄｒｏｍａｌｕｓ  ｐｅｒｅｇｒｉｎｕｓなど、Ｔｙｐｈｌｏｄｒｏｍｉｐｓ属から、例えば、Ｔｙｐｈｌｏｄｒｏｍｉｐｓ  ｍｏｎｔｄｏｒｅｎｓｉｓなど、
Ｔｙｐｈｌｏｄｒｏｍｉｎａｅ亜科、例えば、Ｇａｌｅｎｄｒｏｍｕｓ属からのもの、例えば、Ｇａｌｅｎｄｒｏｍｕｓ  ｏｃｃｉｄｅｎｔａｌｉｓ、Ｔｙｐｈｌｏｄｒｏｍｕｓ属から、例えば、パイアイカブリダニ、Ｔｙｐｈｌｏｄｒｏｍｕｓ  ｄｏｒｅｅｎａｅまたはＴｙｐｈｌｏｄｒｏｍｕｓ  ａｔｈｉａｓａｅ
から選択される、請求項５に記載の使用。
【請求項７】
前記捕食性カブリダニが、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択される、請求項５または６に記載の使用。
【請求項８】
０．２８未満の内的増加率（ｒｍ）を有する前記宿主ダニが、サヤアシニクダニまたはＴｈｙｒｅｏｐｈａｇｕｓ  ｅｎｔｏｍｏｐｈａｇｕｓから選択される、請求項５〜７のいずれか１項に記載の使用。
【請求項９】
捕食性カブリダニ放出システムの作製方法であって、
（Ａ）捕食性カブリダニを選択するステップと、
（Ｂ）前記捕食性カブリダニを、
前記捕食性カブリダニ個体群と、
第１の飼育宿主ダニ個体群と、
前記飼育宿主ダニ用の食物源と
を含む飼育組成物中で飼育するステップと、
（Ｃ）前記飼育組成物に前記第１の宿主ダニと異なる第２の飼育宿主ダニ個体群を追加するステップと、
（Ｄ）前記捕食性カブリダニを保持するのに好適な、前記捕食性カブリダニの移動生活期のための出口を有する容器を用意するステップと、
（Ｅ）前記飼育組成物を、前記容器内にパッキングするステップと
を含み、
前記第１の飼育宿主または第２の飼育宿主として、０．２８未満の内的増加率（ｒｍ）を有する宿主ダニが選択され、他方の宿主ダニとして、０．２８未満の内的増加率（ｒｍ）を有する前記宿主ダニよりも高い内的増加率（ｒｍ）を有する宿主ダニが選択されることを特徴とする、方法。
【請求項１０】
前記捕食性カブリダニが、
ムチカブリダニ亜科、例えば、Ａｍｂｌｙｓｅｉｕｓ属からのもの、例えば、Ａｍｂｌｙｓｅｉｕｓ  ａｎｄｅｒｓｏｎｉ、Ａｍｂｌｙｓｉｅｕｓ  ａｅｒｉａｌｉｓ、スワルスキーカブリダニまたはラーゴカブリダニなど、Ｅｕｓｅｉｕｓ属から、例えば、イチレツカブリダニ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏまたはＥｕｓｅｉｕｓ  ｃｉｔｒｉなど、ウスカブリダニ属から、例えば、ヘヤカブリダニ、ミヤコカブリダニ、ククメリスカブリダニ、Ｎｅｏｓｅｉｕｌｕｓ  ｌｏｎｇｉｓｐｉｎｏｓｕｓ、ケナガカブリダニ、Ｎｅｏｓｅｉｕｌｕｓ  ｉｄａｅｕｓ、Ｎｅｏｓｅｉｕｌｕｓ  ａｎｏｎｙｍｕｓまたはファラシスカブリダニなど、Ｔｙｐｈｌｏｄｒｏｍａｌｕｓ属から、例えば、Ｔｙｐｈｌｏｄｒｏｍａｌｕｓ  ｌｉｍｏｎｉｃｕｓ、Ｔｙｐｈｌｏｄｒｏｍａｌｕｓ  ａｒｉｐｏまたはＴｙｐｈｌｏｄｒｏｍａｌｕｓ  ｐｅｒｅｇｒｉｎｕｓなど、Ｔｙｐｈｌｏｄｒｏｍｉｐｓ属から、例えば、Ｔｙｐｈｌｏｄｒｏｍｉｐｓ  ｍｏｎｔｄｏｒｅｎｓｉｓなど、
Ｔｙｐｈｌｏｄｒｏｍｉｎａｅ亜科、例えば、Ｇａｌｅｎｄｒｏｍｕｓ属からのもの、例えば、Ｇａｌｅｎｄｒｏｍｕｓ  ｏｃｃｉｄｅｎｔａｌｉｓ、Ｔｙｐｈｌｏｄｒｏｍｕｓ属から、例えば、パイアイカブリダニ、Ｔｙｐｈｌｏｄｒｏｍｕｓ  ｄｏｒｅｅｎａｅまたはＴｙｐｈｌｏｄｒｏｍｕｓ  ａｔｈｉａｓａｅ
から選択される、請求項９に記載の方法。
【請求項１１】
前記捕食性カブリダニが、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択される、請求項９または１０に記載の方法。
【請求項１２】
０．２８未満の内的増加率（ｒｍ）を有する前記宿主ダニが、サヤアシニクダニまたはＴｈｙｒｅｏｐｈａｇｕｓ  ｅｎｔｏｍｏｐｈａｇｕｓから選択される、請求項９〜１１のいずれか１項に記載の方法。
【請求項１３】
作物保護における、請求項１〜４のいずれか１項に記載の捕食性カブリダニ放出システム、請求項５〜８のいずれか１項に記載の使用によって作製された捕食性カブリダニ放出システムまたは請求項９〜１２のいずれか１項に記載の方法で作製された捕食性カブリダニ放出システムの使用。
【請求項１４】
前記作物保護が、コナジラミ、例えば、オンシツコナジラミ（Ｔｒｉａｌｅｕｒｏｄｅｓ  ｖａｐｏｒａｒｉｏｒｕｍ）またはタバココナジラミ（Ｂｅｍｉｓｉａ  ｔａｂａｃｉ）など；アザミウマ、例えば、ネギアザミウマ（Ｔｈｒｉｐｓ  ｔａｂａｃｉ）またはＦｒａｎｋｌｉｎｉｅｌｌａ属種など、例えば、ミカンキイロアザミウマ（Ｆｒａｎｋｌｉｎｉｅｌｌａ  ｏｃｃｉｄｅｎｔａｌｉｓ）など；クモダニ、例えば、Ｔｅｔｒａｎｙｃｈｕｓ属種、例えば、ナミハダニ（Ｔｅｔｒａｎｙｃｈｕｓ  ｕｒｔｉｃａｅ）、Ｔｅｒａｎｙｃｈｕｓ  ｅｖａｎｓｉおよびカンザワハダニ（Ｔｅｒａｎｙｃｈｕｓ  ｋａｎｚａｗａｉ）など、またはＰａｎｏｎｙｃｈｕｓ属種、例えば、リンゴハダニ（Ｐａｎｏｎｙｃｈｕｓ  ｕｌｍｉ）など；ホコリダニ、例えば、チャノホコリダニ（Ｐｏｌｙｐｈａｇｏｔａｒｓｏｎｅｍｕｓ  ｌａｔｕｓ）またはシクラメンホコリダニ（Ｔａｒｓｏｎｅｍｕｓ  ｐａｌｌｉｄｕｓ）など；フシダニ、例えば、トマトサビダニ（Ａｃｕｌｏｐｓ  ｌｙｃｏｐｅｒｓｉｃｉ）など；イボタムシ、例えば、ミカンハダニ（Ｐａｎｏｎｙｃｈｕｓ  ｃｉｔｒｉ）などから；スケールクローラー（ｓｃａｌｅ  ｃｒａｗｌｅｒ）、例えば、アカマルカイガラムシ（Ａｏｎｉｄｉｅｌｌａ  ａｕｒａｎｔｉｉ）などから選択される作物害虫からの保護である、請求項１３に記載の使用。
【請求項１５】
前記作物が、（温室）野菜作物、例えば、トマト（Ｌｙｃｏｐｅｒｓｉｃｏｎ  ｅｓｃｕｌｅｎｔｕｍ）、トウガラシ（Ｃａｐｓｉｃｕｍ  ａｎｎｕｕｍ）、ナス（Ｓｏｌａｎｕｍ  ｍｅｌｏｇｅｎａ）、ウリ科植物（Ｃｕｃｕｒｂｉｔａｃｅａｅ）、例えば、キュウリ（Ｃｕｃｕｍｉｓ  ｓａｔｉｖａ）、メロン（Ｃｕｃｕｍｉｓ  ｍｅｌｏ）、スイカ（Ｃｉｔｒｕｌｌｕｓ  ｌａｎａｔｕｓ）など；軟果実（ｓｏｆｔ  ｆｒｕｉｔ）（例えば、イチゴ（Ｆｒａｇａｒｉａ  ｘ  ａｎａｎａｓｓａ）、ラズベリー（Ｒｕｂｕｓ  ｉｄｅａｕｓ）など）、（温室）観賞用作物（例えば、バラ、ガーベラ、キクなど）、木の作物、例えば、Ｃｉｔｒｕｓ属種、アーモンド、バナナのものなど、または露地作物、例えば、綿またはトウモロコシなどから選択される、請求項１３または１４に記載の使用。
【発明の詳細な説明】
【技術分野】
【０００１】
本発明は、一般に、捕食性カブリダニの使用による生物学的作物保護の分野に関する。より詳細には、本発明は、作物において捕食性カブリダニを放出するためのシステムおよびこうした捕食性カブリダニ放出システムにおける宿主ダニの新規な使用に関する。
【背景技術】
【０００２】
生物学的作物保護のための捕食性カブリダニの使用は、農業および園芸においてますます普及してきている。現在、捕食カブリダニは、植物を食するダニ、アザミウマおよびコナジラミなどの害虫を退治するために用いられている。この流行の背景にある推進力の１つは、作物保護手段として使用されるそれらの捕食カブリダニ用放出システムの有用性である。
【０００３】
現在最も効率的なカブリダニ放出システムは、ＧＢ２３９３８９０に開示されているサシェ型のものである。こうした放出システムは、捕食カブリダニ種の繁殖個体群と、（捕食カブリダニ用の食物源としての）好適な宿主ダニ種の繁殖個体群と、宿主ダニ用の食物源を保持する容器とを含む。宿主ダニによる捕食カブリダニの個体数増加および宿主ダニの食物源による宿主ダニの個体数増加により、捕食カブリダニの長期放出可能なシステムが作られる。実際には、捕食カブリダニの長期放出は、約３週間から６週間に限られる。
【０００４】
ＧＢ２３９３８９０のカブリダニ放出サシェシステムが開発されて以来、捕食カブリダニ用のさらなる宿主の有用性に関する大きな発展があった。これらの新たに利用可能な宿主の多くは、人工的な宿主である。人工的な宿主は、カブリダニの自然生息地、すなわち、葉圏に通常見られない宿主である。例えば、Ｋｏｐｐｅｒｔ  Ｂ．Ｖ．の国際出願であるＷＯ２００６／０５７５５２、ＷＯ２００６／０７１１０７およびＷＯ２００７／０７５０８１を参照してもよい。加えて、ＷＯ２００８／０１５３９３、ＷＯ２００８／１０４８０７およびＥＰ２２３２９８６には、捕食カブリダニと宿主ダニとのさらなる組合せが開示されている。
【０００５】
捕食カブリダニ放出システムにおける過去数年間におけるこれらの発展にもかかわらず、これらのシステムの捕食性カブリダニ放出能は、依然として約３週間から６週間に限られている。この期間中における本放出システムの捕食カブリダニの累積産生量は、放出システム内に含有される担体１グラムあたり約３００匹から４００匹のカブリダニ個体に限定される。
【０００６】
本発明の発明者らの研究により、ある特別な特性を有する宿主ダニの注意深い選択によって、捕食カブリダニ放出の期間および／または放出される捕食カブリダニの累積数に関して改善された性能を有する捕食カブリダニ放出システムがもたらされることが示されている。
【０００７】
驚くべき効果をもたらす宿主ダニの特別な特性は、その内的増加率（ｒｍ）に関連する。現在、驚くべきことに、０．２８未満の内的増加率（ｒｍ）を有する宿主ダニの使用が、６週間よりも長い（特に、７週間よりも長い）捕食性カブリダニ放出能および／または放出システムの寿命の間に、担体１グラムあたり４００カブリダニ個体を超える、産生された捕食カブリダニの累積数を有する捕食性カブリダニ放出システムをもたらし得ることが見出されている。
【発明の概要】
【発明が解決しようとする課題】
【０００８】
０．２８未満の内的増加率（ｒｍ）を有する宿主ダニが、６週間よりも長い捕食性カブリダニ放出能および／または担体１グラムあたり４００を超える、産生された捕食カブリダニの累積数を有する捕食性カブリダニ放出システムをもたらし得るという事実は、従来技術において記録されていなかった。
【課題を解決するための手段】
【０００９】
したがって、本発明は、第１の態様によれば、
−捕食性カブリダニ個体群、
−０．２８未満の内的増加率（ｒｍ）を有する宿主ダニ個体群を含む、該捕食性カブリダニ個体用の食物源
を含み、少なくとも７週間の捕食性カブリダニ放出能を有する、および／または担体１グラムあたり４００を超える、産生された捕食カブリダニの累積数を有する、捕食性カブリダニ放出システムに関する。
【００１０】
捕食性カブリダニ放出システムは、いかなる好適な型であってもよい。一般に、ダニ放出システムは、捕食性カブリダニ個体および宿主ダニ個体を保持するのに好適な容器を含むことになる。容器は、開口部および／または捕食性カブリダニの移動生活期のために開口している出口を作る手段を含む。この型の放出システムは当業者に知られており、例えば、Ｋｏｐｐｅｒｔ  Ｂ．Ｖ．のＳｗｉｒｓｋｉ−Ｍｉｔｅ（登録商標）製品および他のサシェ型放出システムなどの多様な製品が市場で商業的に入手可能である。さらに、ＧＢ２  ３９３  ８９０には、好適な型の放出システムが開示されている。
【００１１】
捕食性カブリダニ放出システムは、捕食性カブリダニ個体群を含む。当業者に公知であるように、捕食性カブリダニは、それらが害虫生物（昆虫およびダニ）を捕食する植物上にそれらの自然生息地を有する。それらは、ｄｅ  Ｍｏｒａｅｓら、２００４によって記載されているように、それらの自然生息地から単離されてもよい。本発明において特に有用な捕食性カブリダニは、
−ムチカブリダニ（Ａｍｂｌｙｓｅｉｉｎａｅ）亜科、例えば、Ａｍｂｌｙｓｅｉｕｓ属からのもの、例えば、Ａｍｂｌｙｓｅｉｕｓ  ａｎｄｅｒｓｏｎｉ、Ａｍｂｌｙｓｉｅｕｓ  ａｅｒｉａｌｉｓ、スワルスキーカブリダニ（Ａｍｂｌｙｓｅｉｕｓ  ｓｗｉｒｓｋｉｉ）またはラーゴカブリダニ（Ａｍｂｌｙｓｅｉｕｓ  ｌａｒｇｏｅｎｓｉｓ）など、Ｅｕｓｅｉｕｓ属から、例えば、イチレツカブリダニ（Ｅｕｓｅｉｕｓ  ｆｉｎｌａｎｄｉｃｕｓ）、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏまたはＥｕｓｅｉｕｓ  ｃｉｔｒｉなど、ウスカブリダニ（Ｎｅｏｓｅｉｕｌｕｓ）属から、例えば、ヘヤカブリダニ（Ｎｅｏｓｅｉｕｌｕｓ  ｂａｒｋｅｒｉ）、ミヤコカブリダニ（Ｎｅｏｓｅｉｕｌｕｓ  ｃａｌｉｆｏｒｎｉｃｕｓ）、ククメリスカブリダニ（Ｎｅｏｓｅｉｕｌｕｓ  ｃｕｃｕｍｅｒｉｓ）、Ｎｅｏｓｅｉｕｌｕｓ  ｌｏｎｇｉｓｐｉｎｏｓｕｓ、ケナガカブリダニ（Ｎｅｏｓｅｉｕｌｕｓ  ｗｏｍｅｒｓｌｅｙｉ）、Ｎｅｏｓｅｉｕｌｕｓ  ｉｄａｅｕｓ、Ｎｅｏｓｅｉｕｌｕｓ  ａｎｏｎｙｍｕｓまたはファラシスカブリダニ（Ｎｅｏｓｅｉｕｌｕｓ  ｆａｌｌａｃｉｓ）など、Ｔｙｐｈｌｏｄｒｏｍａｌｕｓ属から、例えば、Ｔｙｐｈｌｏｄｒｏｍａｌｕｓ  ｌｉｍｏｎｉｃｕｓ、Ｔｙｐｈｌｏｄｒｏｍａｌｕｓ  ａｒｉｐｏまたはＴｙｐｈｌｏｄｒｏｍａｌｕｓ  ｐｅｒｅｇｒｉｎｕｓなど、Ｔｙｐｈｌｏｄｒｏｍｉｐｓ属から、例えば、Ｔｙｐｈｌｏｄｒｏｍｉｐｓ  ｍｏｎｔｄｏｒｅｎｓｉｓなど、
−Ｔｙｐｈｌｏｄｒｏｍｉｎａｅ亜科、例えば、Ｇａｌｅｎｄｒｏｍｕｓ属からのもの、例えば、Ｇａｌｅｎｄｒｏｍｕｓ  ｏｃｃｉｄｅｎｔａｌｉｓ、Ｔｙｐｈｌｏｄｒｏｍｕｓ属から、例えば、パイアイカブリダニ（Ｔｙｐｈｌｏｄｒｏｍｕｓ  ｐｙｒｉ）、Ｔｙｐｈｌｏｄｒｏｍｕｓ  ｄｏｒｅｅｎａｅまたはＴｙｐｈｌｏｄｒｏｍｕｓ  ａｔｈｉａｓａｅ
から選択され得る。
【００１２】
好ましくは、捕食性カブリダニは、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択される。
【００１３】
カブリダニ亜科、属および種の名前は、本発明に関して使用される場合、他に明記されていない限り、ｄｅ  Ｍｏｒａｅｓ，  Ｇ．Ｊ．ら、２００４において称されているのと同様である。
【００１４】
カブリダニ放出システムは、捕食性カブリダニ個体群の個体数増加に好適な食物源をさらに含む。この食物源は、宿主ダニ個体群を含む。宿主または宿主ダニという用語は、宿主として選択されるダニが捕食性カブリダニ用の好適な餌動物であることを表す。
【００１５】
本発明によれば、宿主ダニは、０．２８未満の内的増加率（ｒｍ）を有する。当業者は、内的増加率が、個体あたりの個体数増加の、理論上の最高速度を反映する個体数動態パラメータであることを理解するであろう。
【００１６】
発明者らが行った実験により、驚くべきことに、０．２８未満の内的増加率（ｒｍ）を有する宿主を使用することによって、長期のカブリダニ放出能を有する、および／またはより高い累積のカブリダニ放出を有する、捕食性カブリダニ放出システムが得られることが示されている。この理論に拘束されることを望むものではないが、発明者らが行った観察結果により、比較的低い内的増加率（ｒｍ）を有する宿主個体群は比較的低い分散作用を有することが示される。宿主の低い分散作用により、より多くの宿主ダニ個体が、放出システムの外に移動する代わりに、放出システム内に残る機会が高まる。これにより、放出システム内の捕食カブリダニが十分な食物をより長時間入手できる可能性が高まる。
【００１７】
本発明によれば、０．２８未満の内的増加率（ｒｍ）を有する宿主ダニが使用される。当業者は、内的増加率（ｒｍ）という用語の意味を理解することになり、宿主ダニのｒｍ値を確定するための方法を理解することになる。こうしたｒｍ値は、２５℃および８５％相対湿度（ＲＨ）において決定されることが好ましい。異なる種のｒｍ値は、例えば、多様な文献の情報源から得ることもできる。本発明の文脈中で、０．２８未満の内的増加率（ｒｍ）とは、０．０２〜０．２８、例えば、０．２８、０．２７、０．２６、０．２５、０．２４、０．２３、０．２２、０．２１、０．２０、０．１９、０．１８、０．１７、０．１６、０．１５、０．１６、０．１５、０．１４、０．１３、０．１２、０．１１、０．１０、０．０９、０．０８、０．０７、０．０６、０．０５、または０．０４の内的増加率（ｒｍ）を意味すると理解されるべきである。好ましくは、内的増加率（ｒｍ）は、０．２５未満、例えば、０．２３未満、例えば、０．２０未満の値を有する。
【００１８】
本発明の一実施形態によれば、０．２８未満の内的増加率（ｒｍ）を有する宿主ダニは、サヤアシニクダニ（Ｌｅｐｉｄｏｇｌｙｐｈｕｓ  ｄｅｓｔｒｕｃｔｏｒ）から選択される。このダニおよび捕食性カブリダニの飼育におけるその使用は、ＷＯ２００７／０７５０８１に開示されている。発明者らによって行われた実験により、捕食性カブリダニを飼育するための宿主としてのこのダニの使用の特別な効果が立証された。本発明の発明者らは、この宿主の特別な効果が、その分散作用を陽性に反映する比較的低いその内的増加率（ｒｍ）と関係していることを導き出した。サヤアシニクダニで示される、長期のカブリダニ放出能およびより高い累積カブリダニ放出との関係におけるこの驚くべき効果は、当技術分野において報告されていなかった。発明者らによって立証された、これらの驚くべき効果と宿主の内的増加率（ｒｍ）との間の関係も、当技術分野において本発明以前に報告されていなかった。サヤアシニクダニのｒｍ値は、０．１８である（Ｓｔｒａｔｉｌ、ＳｔｒａｔｉｌおよびＫｎｕｌｌｅ（１９８０））
【００１９】
他の宿主ダニの内的増加率についての公知の知識に基づき、本発明における使用に好適な宿主のさらなる選択を行うことができる。例えば、Ｔｈｙｒｅｏｐｈａｇｕｓ  ｅｎｔｏｍｏｐｈａｇｕｓについては、０．０７１のｒｍ値が文献において報告されている（Ｃｈｍｉｅｌｅｗｓｋｉ、１９９０）。この報告書に基づき、この宿主は、０．２８未満の内的増加率（ｒｍ）を有する宿主ダニとして本発明における使用のために選択され得る。捕食性カブリダニであるスワルスキーカブリダニを飼育するための宿主としての、Ｔｈｙｒｅｏｐｈａｇｕｓ  ｅｎｔｏｍｏｐｈａｇｕｓの使用は、ＷＯ２００８／０１５３９３に開示されている。しかし、この開示は、このダニのｒｍ値を報告しておらず、０．２８未満のｒｍ値を有する宿主を選択するときに得られ得る効果に対して全く注目もしていない。
【００２０】
捕食性カブリダニ放出システムは、宿主ダニ用の食物源をさらに含む。選択された宿主ダニ用の好適な食物源の選択は、当業者の知識の範囲内であり、以下の文書：ＷＯ２００６／０５７５５２、ＷＯ２００６／０７１１０７、ＷＯ２００７／０７５０８１、ＷＯ２００８／０１５３９３、およびその中に引用されている文献のうちの１つまたは複数の開示からさらに得られ得る。
【００２１】
好ましい一実施形態によれば、０．２８未満の内的増加率（ｒｍ）を有する宿主ダニが第１の宿主であり、捕食性カブリダニ放出システムは、第１の宿主ダニと異なる第２の宿主ダニを含む。捕食性カブリダニ用の食物源として好適なさらなる宿主ダニの追加は、例えば、捕食性カブリダニの個体数増加が改善され得るという事実から見て有益であり得る。
【００２２】
例えば、長期の捕食性カブリダニ放出をシステムから得るために０．２８未満の内的増加率（ｒｍ）を有する宿主ダニが追加され得るが、それは、個体数増加率の点で捕食性カブリダニの理想的な宿主でなくてもよい。さらなる宿主ダニと組み合わせることにより、作物中への配置の早期段階の間中、放出システムにおける捕食カブリダニの放出が改善され得る。このようにして、放出システムの配置後の早期段階における、迅速な捕食カブリダニの初期放出と、長期のカブリダニ放出能とを組み合わせることもできる。
【００２３】
したがって、さらに好ましい一実施形態によれば、第２の宿主ダニは、捕食性カブリダニが、０．２８未満の内的増加率（ｒｍ）を有する宿主ダニ上よりも第２の宿主上で、改善された個体数増加を有するように選択される。
【００２４】
代替の一実施形態によれば、第２の宿主ダニは、第１の宿主ダニよりも高い内的増加率を有する。第２の宿主ダニは、少なくとも０．２８、例えば、０．２８〜０．４５、例えば、０．３０、０．３１、０．３２、０．３３、０．３４、０．３５、０．３６、０．３７、０．３８、０．３９、０．４０、０．４１、０．４２、０．４３、０．４４の内的増加率を有することが好ましい。
【００２５】
第２の宿主としての選択に好ましい宿主は、サトウダニ（Ｃａｒｐｏｇｌｙｐｈｕｓ  ｌａｃｔｉｓ）である。サトウダニは、０．２８未満の内的増加率（ｒｍ）を有する宿主ダニではないことに留意しなければならない。その代わりに、報告されているこの宿主のｒｍ値は、０．２９である（Ｃｈｍｉｅｌｅｗｓｋｉ（１９７１））。さらに、発明者らが行った観察結果により、この宿主は、比較的高い分散行動を有する宿主として分類されている。
【００２６】
本発明の範囲内で特に意図される、捕食性カブリダニと、０．２８未満の内的増加率（ｒｍ）を有する宿主ダニと、場合により第２の宿主ダニとの特定の組合せを以下の表Ｉに示している。これらの組合せは、放出システム、放出システムの製造における０．２８未満の内的増加率（ｒｍ）を有する宿主ダニの使用、および放出システムの製造方法を含む、本発明の全態様の範囲内において意図されていることに特に留意されたい。
【表１】
0005960830.tif 000002
【００２７】
一実施形態によれば、本発明による捕食性カブリダニ放出システムを用いて、少なくとも７週間のカブリダニ放出能を得ることができる。現在市販されているカブリダニ放出システムは、最大で４週間から６週間までのカブリダニ放出能を有する。本発明の範囲内で、少なくとも７週間とは、少なくとも８週間、少なくとも９週間、少なくとも１０週間、少なくとも１１週間を含む。少なくとも７週間の期間は、少なくとも４９日として日で表されることもある。本発明の範囲内で、少なくとも４９日とは、５０〜７８日、例えば、５１、５２、５３、５４、５５、５６、５７、５８、５９、６０、６１、６２、６３、６４、６５、６６、６７、６８、６９、７０、７１、７２、７３、７４、７５、７６または７７日を含む。
【００２８】
他の一実施形態によれば、担体１グラムあたり少なくとも４００匹のカブリダニ個体の累積カブリダニ放出能を得ることができる。現在市販されているカブリダニ放出システムは、担体１グラムあたり約３００匹から４００匹のカブリダニ個体に限定された累積カブリダニ放出能を有する。少なくとも４００匹とは、４００〜１０００匹、例えば、４５０、５００、５５０、６００、６５０、７００、７５０、８００、８５０、９００、９５０、１０００匹などを含むものとして解釈されるべきである。
【００２９】
当業者は、捕食性カブリダニおよび宿主に好適な量および比率を決定できることになる。好適な比率の例は、ＷＯ２００６／０５７５５２、ＷＯ２００６／０７１１０７、ＷＯ２００７／０７５０８１またはＷＯ２００８／０１５３９３から得られ得る。代替的に、捕食カブリダニ放出システムにおいて、捕食性カブリダニ種個体に対する宿主個体数の相対的な比率は、約１０００：１、例えば、約１００：１からであってもよい。代替的に、捕食カブリダニ放出システムにおいて、捕食性カブリダニ種個体に対する宿主個体数の相対的な比率は、１：１から１：１００まで、例えば、１：２から１：５０、１：２から４０、１：２から１：３０であってもよい。第１の宿主および第２の宿主が使用される場合、それらは、異なる比率で使用されてもよい。この場合には、第２の宿主に対して相対的に、０．２８未満の内的増加率（ｒｍ）を有するより大量の宿主を追加することが有益となり得る。
【００３０】
当業者は、カブリダニ放出システムが、２０〜３０℃、好ましくは２０〜２５℃および７７％±１０％のＲＨ、好ましくは８３〜８７％ＲＨ、最も好ましくは８５％ＲＨの条件下で最適に働くことを理解するであろう。したがって、放出システムを、その使用期間中こうした条件下で、特に２０〜２５℃および８３〜８７％ＲＨで、維持することが最も好ましい。
【００３１】
本発明による捕食カブリダニ放出システムは、作物害虫を防除するために使用されてもよい。作物害虫は、コナジラミ、例えば、オンシツコナジラミ（Ｔｒｉａｌｅｕｒｏｄｅｓ  ｖａｐｏｒａｒｉｏｒｕｍ）またはタバココナジラミ（Ｂｅｍｉｓｉａ  ｔａｂａｃｉ）など；アザミウマ、例えば、ネギアザミウマ（Ｔｈｒｉｐｓ  ｔａｂａｃｉ）またはＦｒａｎｋｌｉｎｉｅｌｌａ属種など、例えば、ミカンキイロアザミウマ（Ｆｒａｎｋｌｉｎｉｅｌｌａ  ｏｃｃｉｄｅｎｔａｌｉｓ）など；クモダニ、例えば、Ｔｅｔｒａｎｙｃｈｕｓ属種、例えば、ナミハダニ（Ｔｅｔｒａｎｙｃｈｕｓ  ｕｒｔｉｃａｅ）、Ｔｅｒａｎｙｃｈｕｓ  ｅｖａｎｓｉおよびカンザワハダニ（Ｔｅｒａｎｙｃｈｕｓ  ｋａｎｚａｗａｉ）など、またはＰａｎｏｎｙｃｈｕｓ属種、例えば、リンゴハダニ（Ｐａｎｏｎｙｃｈｕｓ  ｕｌｍｉ）など；ホコリダニ、例えば、チャノホコリダニ（Ｐｏｌｙｐｈａｇｏｔａｒｓｏｎｅｍｕｓ  ｌａｔｕｓ）またはシクラメンホコリダニ（Ｔａｒｓｏｎｅｍｕｓ  ｐａｌｌｉｄｕｓ）など；フシダニ、例えば、トマトサビダニ（Ａｃｕｌｏｐｓ  ｌｙｃｏｐｅｒｓｉｃｉ）など；イボタムシ、例えば、ミカンハダニ（Ｐａｎｏｎｙｃｈｕｓ  ｃｉｔｒｉ）などから；スケールクローラー（ｓｃａｌｅ  ｃｒａｗｌｅｒ）、例えば、アカマルカイガラムシ（Ａｏｎｉｄｉｅｌｌａ  ａｕｒａｎｔｉｉ）などから選択され得る。
【００３２】
保護される作物は、（温室）野菜作物、例えば、トマト（Ｌｙｃｏｐｅｒｓｉｃｏｎ  ｅｓｃｕｌｅｎｔｕｍ）、トウガラシ（Ｃａｐｓｉｃｕｍ  ａｎｎｕｕｍ）、ナス（Ｓｏｌａｎｕｍ  ｍｅｌｏｇｅｎａ）、ウリ科植物（Ｃｕｃｕｒｂｉｔａｃｅａｅ）、例えば、キュウリ（Ｃｕｃｕｍｉｓ  ｓａｔｉｖａ）、メロン（Ｃｕｃｕｍｉｓ  ｍｅｌｏ）、スイカ（Ｃｉｔｒｕｌｌｕｓ  ｌａｎａｔｕｓ）など；軟果実（ｓｏｆｔ  ｆｒｕｉｔ）（例えば、イチゴ（Ｆｒａｇａｒｉａ  ｘ  ａｎａｎａｓｓａ）、ラズベリー（Ｒｕｂｕｓ  ｉｄｅａｕｓ）など）、（温室）観賞用作物（例えば、バラ、ガーベラ、キクなど）、木の作物、例えば、Ｃｉｔｒｕｓ属種、アーモンド、バナナのものなど、または露地作物、例えば、綿、トウモロコシなどから選択されてもよい。
【００３３】
本発明のさらなる態様は、少なくとも７週間の捕食性カブリダニ放出能および／または担体１グラムあたり４００匹を超える捕食カブリダニの累積産生量を有する捕食性カブリダニ放出システムを製造するための、０．２８未満の内的増加率（ｒｍ）を有する宿主ダニの使用を目的とする。上述のように、本発明の捕食性カブリダニ放出システムは、特に園芸において、作物保護における有用性を有する。本発明のこの態様について、捕食性カブリダニ放出システムとの関係において述べられているように、同様な好ましい実施形態および代替実施形態が定義され得る。本発明のこの態様の範囲内の、これらの好ましい実施形態および代替実施形態の利点は、捕食性カブリダニ放出システムとの関係における考察から明らかになるであろう。
【００３４】
本発明のなおさらなる態様は、捕食性カブリダニ放出システムの作製方法に関する。該方法は、
（Ａ）捕食性カブリダニを選択するステップと、
（Ｂ）前記捕食性カブリダニを、
−前記捕食性カブリダニ個体群、
−飼育宿主ダニ個体群、
−前記飼育宿主ダニ用の食物源
を含む飼育組成物中で飼育するステップと、
（Ｃ）任意選択的に、前記飼育組成物にさらなる宿主ダニ個体群を追加するステップと、
（Ｄ）前記捕食性カブリダニを保持するのに好適な、前記捕食性カブリダニの移動生活期のための出口を有する容器を用意するステップと、
（Ｅ）前記飼育組成物を、任意選択的に、前記さらなる宿主と一緒に前記容器内にパッキングするステップと
を含む。
【００３５】
この方法は、飼育宿主におよび／または場合によりさらなる宿主に、０．２８未満の内的増加率（ｒｍ）を有する宿主ダニが選択されることを特徴とする。この方法を用いて、本発明による捕食性カブリダニ放出システムを作製することができる。
【００３６】
本発明による方法において、捕食性カブリダニが選択される。捕食性カブリダニは、いかなる捕食性カブリダニであってもよい。本発明のために特に興味深い捕食性カブリダニは、本発明の放出システムとの関係においてすでに述べている。好ましくは、捕食性カブリダニは、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択される。
【００３７】
前記方法において、捕食性カブリダニは、
−捕食性カブリダニ個体群と、
−飼育宿主ダニ個体群と、
−前記飼育宿主ダニ用の食物源と
を含む飼育組成物中で飼育される。
【００３８】
こうした飼育は、当業者に公知の手順、例えば、ＷＯ２００６／０５７５５２、ＷＯ２００６／０７１１０７、ＷＯ２００７／０７５０８１、ＷＯ２００８／０１５３９３またはこれらの文書のうちのいずれかにおいて引用されている文献から公知の手順によって行われ得る。
【００３９】
本発明による方法において、任意選択的に、さらなる宿主ダニ個体群が飼育組成物に追加される。さらなる宿主が追加されたときには、飼育組成物を通して均質に配置されることが好ましい。場合によるさらなる宿主ダニの詳細は、以下でより詳細に述べることになる。
【００４０】
本発明による方法において、捕食性カブリダニを保持するのに好適な容器を用意することが提供される。前記容器は、捕食性カブリダニの移動生活期のための出口を有する。あるいは、容器は、捕食性カブリダニの移動生活期のために開口している出口を作るのに好適な手段と共に提供される。容器の技術的詳細は、本発明による放出システムとの関係において上述されている。
【００４１】
飼育組成物は、当業者に公知の手順を使用して容器内にパッキングされる。場合によるさらなる宿主が飼育組成物に追加されるときには、飼育組成物と一緒に容器内にパッキングされる。
【００４２】
本発明による方法は、０．２８未満の内的増加率（ｒｍ）を有する宿主ダニが選択されることを特徴とする。０．２８未満の内的増加率（ｒｍ）を有するこの宿主は、飼育宿主であってもよく、または代替的に、さらなる宿主が追加される場合には、さらなる宿主であってもよい。０．２８未満の内的増加率（ｒｍ）を有する宿主ダニがさらなる宿主であることが好ましい。この場合において、飼育宿主は、本発明のダニ放出システムに関して述べられているような第２の宿主である。０．２８未満の内的増加率（ｒｍ）を有する宿主ダニおよびさらなる宿主の双方のための可能な選択およびそれらの双方の詳細は、本発明のダニ放出システムに関して上述されている。
【００４３】
本発明の方法に関しても、好ましい実施形態および代替実施形態は、捕食性カブリダニ放出システムとの関係において述べられているものと同様に、定義され得る。本発明の方法についての文脈中で、これらの好ましい実施形態および代替実施形態の利点は、捕食性カブリダニ放出システムとの関係における考察から見て当業者に明らかになるであろう。
【図面の簡単な説明】
【００４４】
【図１】（記載なし）
【発明を実施するための形態】
【００４５】
ここで、以下の実施例によって本発明について述べる。
【実施例】
【００４６】
Ａ．ｓｗｉｒｓｋｉｉの２種のストック飼育システム：（Ｉ）宿主ダニＣ．ｌａｃｔｉｓ上のＡ．ｓｗｉｒｓｋｉｉおよび（ＩＩ）宿主ダニＬ．ｄｅｓｔｒｕｃｔｏｒ上のＡ．ｓｗｉｒｓｋｉｉを、Ｋｏｐｐｅｒｔにおいて維持した。これらの２種のストック飼育システムを使用して、以下の３種の異なる飼育組成物を用意した：
１．１グラムあたり約１００匹のＡ．ｓｗｉｒｓｋｉｉおよび３００匹のＣ．ｌａｃｔｉｓを含有する湿らせたブランおよび栄養素の担体物質（Ｋｏｐｐｅｒｔ  Ｂｉｏｌｏｇｉｃａｌ  Ｓｙｓｔｅｍｓの標準化された徐放システム）。
２．１グラムあたり約５０匹のＡ．ｓｗｉｒｓｋｉｉおよび１０００匹のＬ．ｄｅｓｔｒｕｃｔｏｒを含有する湿らせたブランおよび栄養素の担体物質。
３．１グラムあたり約５０匹のＡ．ｓｗｉｒｓｋｉｉ、３００匹のＣ．ｌａｃｔｉｓおよび１０００匹のＬ．ｄｅｓｔｒｕｃｔｏｒを含有する湿らせたブランおよび栄養素の担体物質。
【００４７】
各組成物から、ガラスジャー内に（２つずつ）１０グラムを注入した（３種の処置×２つずつ＝計６本のジャー）。各ガラスジャーを、プラスチック製のバケット（１０リットル）内の、飽和塩化ナトリウム溶液の層（深さ２ｃｍ）の中に別々に入れた。バケットを、非通気性のプラスチック製の蓋でしっかりと閉めた。塩溶液は、７５％の周囲相対湿度を提供する。バケットを、摂氏２１度の温室内に置いた。
【００４８】
来たる週の間に、ダニ（捕食性のダニおよび餌動物のダニ）は、ジャーを脱出し、塩溶液中で水死する。週１回、すべてのガラスジャーを、新しい飽和塩溶液を有する新しい清潔なプラスチック製バケット内に移した。使用したバケット内の脱出したダニの数（すなわち、放出システムの産生量）を、既知の計数法を用いてグリッドおよび双眼鏡を使用して評価した。各計測間の時間間隔の途中で、バケットからの蓋を開閉して通気を可能にした。
【００４９】
捕食性ダニの脱出（産生量）が有意に減少するまで約７日毎にこの手順を繰り返した。
【００５０】
全３処置のうちにおける全３ダニ種の平均累積産生量を、以下の表ＩＩに示している。日数のグラフによる提示を、図１に示している。
【表２】
0005960830.tif 000003
【００５１】
データにより、処置１および３は、いずれもＣ．ｌａｃｔｉｓを含有しており、より速く捕食性ダニの産生を開始することが示される。処置２および３は、いずれもＬ．ｄｅｓｔｒｕｃｔｏｒを含有しており、（より低いＡ．ｓｗｉｒｓｋｉｉの開始濃度にもかかわらず）有意により多くの捕食性ダニを産生し、より長く持続する。このデータより、処置２および３が、（１）累積産生量、（２）１週間あたりの平均産生量および（３）システムの長寿命に関して、より良好に機能することは明らかである。
【００５２】
［参考文献］
【表３】
0005960830.tif 000004
【図１】
0005960830.tif 000005